(57)【特許請求の範囲】
【請求項１】
第１の筐体と第２の筐体とを所定の方向にて折り畳み可能に係止するヒンジ部を隠蔽するヒンジ部隠蔽キャップであって、
前記ヒンジ部隠蔽キャップは、
前記ヒンジ部のほぼ釘形状のシャフトの頭側の端部をシャフトの軸方向に挟むように係合すると共に、その外形形状が前記第１の筐体もしくは前記第２の筐体のうちの前記ヒンジ部隠蔽キャップ側の形状に合うようにその側面方向に円形が伸張して形成されていることを特徴とするヒンジ部隠蔽キャップ。
【請求項２】
前記ヒンジ部は、
前記第１の筐体と前記第２の筐体とを係止するためのほぼ釘形状のシャフト及び該シャフトの胴部側の端部で止める止め輪を有して構成されてなることを特徴とする請求項１記載のヒンジ部隠蔽キャップ。
【請求項３】
前記ヒンジ部隠蔽キャップは、
該ヒンジ部隠蔽キャップに形成されている雌部と前記シャフトの頭側の端部である雄部とをはめ合わせて装着されることを特徴とする請求項２記載のヒンジ部隠蔽キャップ。
【請求項４】
前記ヒンジ部隠蔽キャップは、
エラストマー（弾性体）により形成されることを特徴とする請求項１から３のいずれか１項に記載のヒンジ部隠蔽キャップ。
【請求項５】
前記ヒンジ部隠蔽キャップは、
前記第２の筐体に設けられる外部コネクタのプラグ孔を封止する突起部を有して構成されることを特徴とする請求項１から４のいずれか１項に記載のヒンジ部隠蔽キャップ。
【請求項６】
前記ヒンジ部隠蔽キャップは、
前記ヒンジ部を隠蔽する部分と前記外部コネクタを隠蔽する部分との間に凹部が形成されていることを特徴とする請求項５記載のヒンジ部隠蔽キャップ。
【請求項７】
請求項１から６のいずれか１項記載のヒンジ部隠蔽キャップを用い、筐体間を前記ヒンジ部隠蔽キャップの突起部が前記第２の筐体に挟まれるように固定されることを特徴とするヒンジ構造。
【請求項８】
第１の筐体と第２の筐体とを所定の方向にて折り畳み可能に係止するヒンジ部を隠蔽するヒンジ部隠蔽キャップを備えた折り畳み型携帯通信機であって、
前記ヒンジ部隠蔽キャップは、
前記ヒンジ部のほぼ釘形状のシャフトの頭側の端部をシャフトの軸方向に挟むように係合すると共に、その外形形状が前記第１の筐体もしくは前記第２の筐体のうちの前記ヒンジ部隠蔽キャップ側の形状に合うようにその側面方向に円形が伸張して形成されていることを特徴とするヒンジ部隠蔽キャップを備えた折り畳み型携帯通信機。
【請求項９】
前記ヒンジ部は、
前記第１の筐体と前記第２の筐体とを係止するためのほぼ釘形状のシャフト及び該シャフトの胴部側の端部で止める止め輪を有して構成されてなることを特徴とする請求項８記載のヒンジ部隠蔽キャップを備えた折り畳み型携帯通信機。
【請求項１０】
前記ヒンジ部隠蔽キャップは、
該ヒンジ部隠蔽キャップに形成されている雌部と前記シャフトの頭側の端部である雄部とをはめ合わせて装着されることを特徴とする請求項９記載のヒンジ部隠蔽キャップを備えた折り畳み型携帯通信機。
【請求項１１】
前記ヒンジ部隠蔽キャップは、
エラストマー（弾性体）により形成されることを特徴とする請求項８から１０のいずれか１項に記載のヒンジ部隠蔽キャップを備えた折り畳み型携帯通信機。
【請求項１２】
前記ヒンジ部隠蔽キャップは、
前記第２の筐体に設けられる外部コネクタのプラグ孔を封止する突起部を有して構成されることを特徴とする請求項８から１１のいずれか１項に記載のヒンジ部隠蔽キャップを備えた折り畳み型携帯通信機。
【請求項１３】
前記ヒンジ部隠蔽キャップは、
前記ヒンジ部を隠蔽する部分と前記外部コネクタを隠蔽する部分との間に凹部が形成されていることを特徴とする請求項１２記載のヒンジ部隠蔽キャップを備えた折り畳み型携帯通信機。
【請求項１４】
前記ヒンジ部隠蔽キャップを備えた折り畳み型携帯通信機は携帯電話機であることを特徴とする請求項１３記載のヒンジ部隠蔽キャップを備えた折り畳み携帯通信機。
【発明の詳細な説明】
【０００１】
【発明の属する技術分野】
本発明は、ヒンジ部隠蔽キャップ、ヒンジ構造及びヒンジ部隠蔽キャップを備えた折り畳み型携帯通信機に関し、特に形状を限定されることのないヒンジ部隠蔽キャップ、ヒンジ構造及びヒンジ部隠蔽キャップを備えた折り畳み型携帯通信機に関する。
【０００２】
【従来の技術】
従来のヒンジ部隠蔽キャップの構造を図５に基づいて説明する。
図５は、従来のヒンジ部隠蔽キャップの構造を示す断面図である。図５において、従来のヒンジ部隠蔽キャップ４００は、第１の筐体１００と第２の筐体２００とを所定方向にて折り畳み可能に係止するヒンジ３００の端部を隠蔽するために用いられている。
【０００３】
ヒンジ３００は、第１の筐体１００と第２の筐体２００とを連結させるため、当該第２の筐体２００の外側からネジ３０１を貫通させ、第１の筐体１００内部側に取り付けられたナット３０２と共締めして係止する。ヒンジ部隠蔽キャップ４００は、この係止されたヒンジ３００を共締めするネジ３０１のヘッド部分に両面テープ３０３を介して貼り付けることにより固着されているものである。
【０００４】
【発明が解決しようとする課題】
しかしながら、上記従来例に示されるように、ヒンジ部隠蔽キャップ４００は、ネジ３０１のヘッド部分に両面テープ３０３を介して接着して固定されている構成のため、エンドユーザの取り扱い、あるいは落下等によりヒンジ部隠蔽キャップ４００が脱落し、このキャップ自体を紛失してしまうという問題があった。
【０００５】
また、上述されるように、ヒンジ部隠蔽キャプ４００は、ネジ３０１のヘッド部分に両面テープ３０３を介して貼り付けることにより構成されるため、第１の筐体１００の開閉動作に追従して回転してしまうため、キャップの形状がデザイン的に丸形状でのみしか実現できないという制約が出てきてしまうという問題があった。
【０００６】
さらに、ヒンジ部隠蔽キャップ４００が脱落してしまった場合には、両面テープ３０３を除去することでネジ３０１のヘッド部分が露出し、当該ネジ３０１をスクリュードライバー等により不用意に分解されてしまうと、第１の筐体１００と第２の筐体２００とが分離されてしまうという問題があった。
【０００７】
本発明の第１の目的は、キャップの脱落や紛失を防止するヒンジ部隠蔽キャップ、ヒンジ構造及びヒンジ部隠蔽キャップを備えた折り畳み型携帯通信機を提供することにある。
【０００８】
本発明の第２の目的は、キャップの形状に制約を設ける必要なく、自由なデザイン並びに形状により実現することのできるヒンジ部隠蔽キャップ、ヒンジ構造及びヒンジ部隠蔽キャップを備えた携帯型通信機を提供することにある。
【０００９】
本発明の第３の目的は、ユーザによる不用意な分解行為を未然に防止することのできるヒンジ部隠蔽キャップ、ヒンジ構造及びヒンジ部隠蔽キャップを備えた携帯型通信機を提供することにある。
【００１０】
【課題を解決するための手段】
前記課題を解決するために、請求項１記載の発明は、第１の筐体と第２の筐体とを所定の方向にて折り畳み可能に係止するヒンジ部を隠蔽するヒンジ部隠蔽キャップであって、前記ヒンジ部隠蔽キャップは、前記ヒンジ部のほぼ釘形状のシャフトの頭側の端部をシャフトの軸方向に挟むように係合すると共に、その外形形状が前記第１の筐体もしくは前記第２の筐体のうちの前記ヒンジ部隠蔽キャップ側の形状に合うようにその側面方向に円形が伸張して形成されていることを特徴とする。
【００１１】
請求項２記載の発明は、請求項１記載の発明において、前記ヒンジ部は、前記第１の筐体と前記第２の筐体とを係止するためのほぼ釘形状のシャフト及び該シャフトの胴部側の端部で止める止め輪を有して構成されてなることを特徴とする。
【００１２】
請求項３記載の発明は、請求項２記載の発明において、前記ヒンジ部隠蔽キャップは、該ヒンジ部隠蔽キャップに形成されている雌部と前記シャフトの頭側の端部である雄部とをはめ合わせて装着されることを特徴とする。
【００１３】
請求項４記載の発明は、請求項１から３のいずれか１項記載の発明において、前記ヒンジ部隠蔽キャップは、エラストマー（弾性体）により形成されることを特徴とする。
【００１４】
請求項５記載の発明は、請求項１から４のいずれか１項記載の発明において、前記ヒンジ部隠蔽キャップは、前記第２の筐体に設けられる外部コネクタのプラグ孔を封止する突起部を有して構成されることを特徴とする。
【００１５】
請求項６記載の発明は、請求項５記載の発明において、前記ヒンジ部隠蔽キャップは、前記ヒンジ部を隠蔽する部分と前記外部コネクタを隠蔽する部分との間に凹部が形成されていることを特徴とする。
【００１６】
請求項７記載の発明は、請求項１から６のいずれか１項記載のヒンジ部隠蔽キャップを用い、筐体間を前記ヒンジ部隠蔽キャップの突起部が前記第２の筐体に挟まれるように固定されることを特徴とする。
【００１７】
請求項８記載の発明は、第１の筐体と第２の筐体とを所定の方向にて折り畳み可能に係止するヒンジ部を隠蔽するヒンジ部隠蔽キャップを備えた折り畳み型携帯通信機であって、前記ヒンジ部隠蔽キャップは、前記ヒンジ部のほぼ釘形状のシャフトの頭側の端部をシャフトの軸方向に挟むように係合すると共に、その外形形状が前記第１の筐体もしくは前記第２の筐体のうちの前記ヒンジ部隠蔽キャップ側の形状に合うようにその側面方向に円形が伸張して形成されていることを特徴とする。
【００１８】
請求項９記載の発明は、請求項８記載の発明において、前記ヒンジ部は、前記第１の筐体と前記第２の筐体とを係止するためのほぼ釘形状のシャフト及び該シャフトの胴部側の端部で止める止め輪を有して構成され、前記シャフトの頭側の端部に前記ヒンジ部隠蔽キャップを装着してなることを特徴とする。
【００１９】
請求項１０記載の発明は、請求項９記載の発明において、前記ヒンジ部隠蔽キャップは、該ヒンジ部隠蔽キャップに形成されている雌部と前記シャフトの頭側の端部である雄部とをはめ合わせて装着されることを特徴とする。
【００２０】
請求項１１記載の発明は、請求項８から１０のいずれか１項記載の発明において、前記ヒンジ部隠蔽キャップは、エラストマー（弾性体）により形成されることを特徴とする。
【００２１】
請求項１２記載の発明は、請求項８から１１のいずれか１項記載の発明において、前記ヒンジ部隠蔽キャップは、前記第２の筐体に設けられる外部コネクタのプラグ孔を封止する突起部を有して構成されることを特徴とする。
請求項１３記載の発明は、請求項１２記載の発明において、前記ヒンジ部隠蔽キャップは、前記ヒンジ部を隠蔽する部分と前記外部コネクタを隠蔽する部分との間に凹部が形成されていることを特徴とする。
請求項１４記載の発明は、請求項１３記載の発明において、前記ヒンジ部隠蔽キャップを備えた折り畳み型携帯通信機は携帯電話機であることを特徴とする。
【００２２】
【発明の実施の形態】
次に、添付図面を参照して本発明に係るヒンジ部隠蔽キャップ、ヒンジ構造及びヒンジ部隠蔽キャップを備えた折り畳み型携帯通信機を詳細に説明する。図１から図４を参照すると、本発明に係るヒンジ部隠蔽キャップ及びヒンジ部隠蔽キャップを備えた折り畳み型携帯通信機の実施の形態が示されている。
【００２３】
〈第１の実施形態〉
図１は、本発明の第１の実施形態であるヒンジ部隠蔽キャップを適用した折り畳み型形携帯通信機の外観構成を示す斜視図である。第１の実施形態は、上述される本発明の前提となったヒンジ部隠蔽キャップ４と基本的構成は同様であるが、ヒンジ部隠蔽キャップの形状において相違するものである。
【００２４】
図２に示されるように、本発明の第１の実施形態であるヒンジ部隠蔽キャップ４は、折り畳み型携帯通信機の形状に合わせるようにして、第２の筐体２の側面方向にヒンジ部隠蔽キャップ４の形状が伸張されて形成されている。
【００２５】
図２は、本発明の第１の実施形態であるヒンジ部隠蔽キャップにおけるヒンジ構造を示すＢ−Ｂ間の拡大断面図である。図２において、本発明の第１の実施形態であるヒンジ部隠蔽キャップ４は、上述されるヒンジ３の端部において、外観を向上させるために目隠しするために設けられるものである。
【００２６】
なお、図２においては、一方の端部のヒンジ構造が示されているが、他方の端部においても対称的に同一構成を備えるものである。
【００２７】
以上の構成からなるヒンジ部隠蔽キャップを備えた折り畳み式携帯通信機は、第１の筐体１、第２の筐体２、及びこれらを連結するヒンジ３から構成され、外観上においてヒンジ３の構造が見えないよう目隠しするためのヒンジ部隠蔽キャップ４を有して構成されるものである。
【００２８】
ヒンジ部隠蔽キャップ４は、ヒンジ３を構成するシャフト３１に先に装着され、第１の筐体１と第２の筐体２とをはめ合わせてから第２の筐体２の外側からヒンジ３を挿入して第１の筐体１側に設けられる止め輪３２にはめ込むことにより係止する。ヒンジ部隠蔽キャップ４は、その外側面において第２の筐体２の側面方向に沿って一部の形状が伸張されて形成されている。これにより、ヒンジ部隠蔽キャップ４は、第２の筐体２に挟まれるようにして固定されるので脱落しない構造となる。
【００２９】
本発明の第１の実施形態によれば、従来の構成において制約されていた形状を用途に合わせて、自由な形状とすることが可能である。また、外観上におけるデザインの多様性も向上することが可能となる。
【００３０】
以上の構成からなる本発明の実施形態であるヒンジ部隠蔽キャップは、ヒンジ３と一体化した状態で第１の筐体１及び第２の筐体２を係止するものであるが、第１の筐体１の開閉動作による影響を受けないように構成されている。よって、従来の問題点とされていた第１の筐体の開閉動作に伴うヒンジ部隠蔽キャップの回転動作が行われなくなり、その形状に大きな幅を持たす、すなわち、その形状のデザインに多様性を持たせることが可能となる。
【００３１】
〈第２の実施形態〉
図３は、本発明の第２の実施形態であるヒンジ部隠蔽キャップを適用した折り畳み型携帯通信機の外観構成を示す斜視図である。図３において、本発明の第２の実施形態であるヒンジ部隠蔽キャップが、上述される第１の実施形態と異なる点は、通常、携帯電話使用時に用いられるイヤホンセット等の差込用のプラグ孔（外部コネクタ）に対して、ヒンジ部隠蔽キャップの形状を自由に構成できることにより、従来別途に設けられていた外部コネクタカバーを一体化形成している点にある。
【００３２】
図４は、本発明の第２の実施形態であるヒンジ部隠蔽キャップにおけるヒンジ構成を示す拡大断面図である。図４において、本発明の第２の実施形態であるヒンジ部隠蔽キャップは、基本的な構造において本発明の第１の実施形態と同様であるが、外部コネクタをカバーするために第２の筐体２の側面に沿うように、伸張されて構成される。
【００３３】
ヒンジ部隠蔽キャップ４における伸張部分には、外部コネクタの凹み形状に挿入するための凸部が形成され、当該凹み形状に凸部が挿入されることで、第２の筐体２に設けられている外部コネクタへのホコリや液体等の侵入を防止する。
【００３４】
また、ヒンジ部隠蔽キャップ４において、ヒンジ３の隠蔽部と外部コネクタ５の隠蔽部との中途には、ヒンジ３を隠蔽した状態でも外部コネクタ５の隠蔽部（外部コネクタカバー）を容易に開閉することを可能とするための段差が設けられている。
【００３５】
本発明の第２の実施形態であるヒンジ部隠蔽キャップ４を構成する部材としては、上述される第１の実施形態にて用いられる部材と同様に、天然ゴム、シリコンゴム、合成ゴム等のエラストマー（弾性体）を用いることにより、第２の筐体２との一体感を向上させると共に、ユーザにより把持された際のグリップ感を向上することができる。
【００３６】
なお、図４においては、一方の端部のヒンジ構造が示されているが、本発明の第２の実施形態であるヒンジ部隠蔽キャップは、通常、外部コネクタが第２の筐体２の一方の側面に設けられる構成のため、上述されるような形状により構成されるが、他方の端部のヒンジ構造においては、例えば、第１の実施形態として示されるようなヒンジ部隠蔽キャップを適用するものである。
【００３７】
本発明の第２の実施形態によれば、従来からある外部コネクタカバーを別途に設ける必要がなくなり、部品点数を削減することができる。
【００３８】
なお、上述される実施形態は、本発明の好適な実施形態であり、本発明の要旨を逸脱しない範囲内において種々変形実施することが可能である。例えば、本発明においては、折り畳み型携帯通信機に適用するものであるが、ヒンジ部を介して係止される折り畳み型のモバイル機器等においても、同様に適用することが可能である。
【００３９】
【発明の効果】
以上の説明より明らかなように、本発明に係るヒンジ部隠蔽キャップ及びヒンジ部隠蔽キャップを備えた折り畳み型携帯通信機によれば、ヒンジ部隠蔽キャップをヒンジに先に挿入しておき、第１の筐体及び第２の筐体間をはめ合わせ、第２の筐体の外側からヒンジを挿入して係り止めさせることで、ヒンジ部隠蔽キャップは、第２の筐体に挟まれるように固定される。従って、ヒンジ部隠蔽キャップが脱落することなく、外れない構造とすることができる。
【００４０】
また、本発明に係るヒンジ部隠蔽キャップ、ヒンジ構造及びヒンジ部隠蔽キャップを備えた折り畳み型携帯通信機によれば、従来の構造上、キャップはシャフト（ねじ）に両面テープ等で貼り付けていたため第１の筐体と共回りしていたため、必然的にキャップは丸形状のみであったが、本発明によれば、キャップとシャフト（ねじ）は非接触構造となり、第１の筐体と共回りするシャフト（ねじ）の回転によらずキャップは第２の筐体と共回りするため、第２の筐体と一体感を持たせるような自由な形状とすることができる。
【００４１】
また、本発明に係るヒンジ部隠蔽キャップ、ヒンジ構造及びヒンジ部隠蔽キャップを備えた折り畳み型携帯通信機によれば、上述されるように、第２の筐体と一体感を持たせるような形状が可能となるため、たとえば、ヒンジ部隠蔽キャップの材料として、ゴムやエラストマー（弾性体）等の柔らかい素材を用いることにより、折り畳み型携帯通信機を手に持ったときのグリップ感を向上させることが可能となり、携帯通信機の使用中における落下を防止することができる。
【００４２】
さらに、本発明に係るヒンジ部隠蔽キャップ、ヒンジ構造及びヒンジ部隠蔽キャップを備えた折り畳み型携帯通信機によれば、ヒンジ部隠蔽キャップが脱落しない構成のため、従来のように容易に分解されるといった行為を未然に防止することができる。
【図面の簡単な説明】
【図１】  本発明の第１の実施形態であるヒンジ部隠蔽キャップを備えた折り畳み型携帯通信機の外観を示す斜視図である。
【図２】  本発明の第１の実施形態におけるヒンジ構成を示す拡大断面図である。
【図３】  本発明の第２の実施形態であるヒンジ部隠蔽キャップを備えた折り畳み型携帯通信機の外観を示す斜視図である。
【図４】  本発明の第２の実施形態におけるヒンジ構成を示す拡大断面図である。
【図５】  従来のヒンジ部隠蔽キャップの概略構成を示す拡大断面図である。
【符号の説明】
１  第１の筐体
２  第２の筐体
３  ヒンジ
４  ヒンジ部隠蔽キャップ
５  外部コネクタ
６  基板
７  両面テープ
３１  シャフト
３２  止め輪
【図１】
0003709312.tif 000002
【図２】
0003709312.tif 000003
【図３】
0003709312.tif 000004
【図４】
0003709312.tif 000005
【図５】
0003709312.tif 000006